(57)【特許請求の範囲】
【請求項１】
開口部を開閉する扉(3)の戸先側外表面に取り付けられるハンドル操作具(10)と、前記開口部が形成された周壁の外表面において前記ハンドル操作具(10)に対向するように取り付けられるラッチ受け具(60)とからなり、
前記ハンドル操作具(10)が、ラッチガイド筒(14)およびそのラッチガイド筒(14)の外表面に設けられた突出部(15)を有し、前記ラッチガイド筒(14)の一端開口が前記ラッチ受け具(60)と対向するようにして扉(3)の外表面に取り付けられる台座(13)と、その台座(13)の前記ラッチガイド筒(14)内にスライド自在に組み込まれ、前記ラッチ受け具(60)に対する先端部の係合によって扉(3)を閉鎖状態に保持するラッチ(22)と、そのラッチ(22)をラッチ受け具(60)と係合する方向に向けて付勢する弾性部材(25)と、前記台座(13)の突出部(15)の戸先側端部に両端を上下にして支持された支点ピン(26)と、その支点ピン(26)を中心にして揺動自在に支持された操作ハンドル(27)と、その操作ハンドル(27)の揺動運動を前記ラッチ(22)のスライド運動に変換する運動変換機構(30)と、操作キーによるシリンダ(39)の回動に伴い、前記ラッチ(22)の移動を阻止してロックし、又は許容してロックを解除するロック機構とを有してなり、
前記運動変換機構(30)が、前記台座(13)の突出部(15)の戸尻側端部に支持されたアーム支持ピン(31)を中心にして揺動可能なアーム(32)を有し、そのアーム(32)の前記ラッチ(22)に対向する揺動側の端部に前記ラッチ(22)の後端部に設けられたラッチピン(35)に係合する係合片(33)と、前記操作ハンドル(27)に対向する揺動側の端部に前記アーム支持ピン(31)に向けて長く延び、前記操作ハンドル(27)の揺動中心から操作部側に片寄った位置に設けられた連動ピン(37)が挿入された長孔(36)とを設け、その長孔(36)の内周に対する連動ピン(37)の押圧により操作ハンドル(27)の揺動に連動してアーム(32)を揺動させ、そのアーム(32)の前記係合片(33)でラッチピン(35)を押圧してラッチ(22)を係合解除位置に向けて移動させる構成とされ、
前記操作ハンドル(27)の揺動中心側の端部に前記扉(3)の閉鎖状態で前記ラッチ受け具(60)の外表面と前後で対向し、操作ハンドル(27)の解錠位置に向けての揺動操作により前記ラッチ(22)をラッチ受け具(60)から係合解除させた後にラッチ受け具(60)の外表面に当接する延出部(28)を設け、
前記ロック機構が、前記ラッチ(22)の後端部に係脱して前記ラッチ(22)のロック状態とロック解除状態を切り替えるロックプレート(44)を備え、前記運動変換機構(30)のアーム(32)は、２枚を一組とされ、その２枚のアーム(32)の対向部間に、内アーム(48)が組み込まれ、前記内アーム(48)は、前記アーム支持ピン(31)を中心にして揺動自在に支持され、前記ラッチ(22)に対向する揺動側の端部には切欠部(49)が形成され、その切欠部(49)に前記ラッチピン(35)が挿入され、
前記内アーム(48)には、揺動側端部の一側に前記操作ハンドル(27)の操作部に向けて延びる二股片(50)が設けられ、その二股片(50)の先端部で支持されたピン(51)によって非常用レバー(52)が揺動自在に支持され、
前記非常用レバー(52)の揺動側端部には前記ロックプレート(44)の押圧用のカム片(53)が設けられ、前記非常用レバー(52)には前記内アーム(48)の前記二股片(50)の扉側の側縁に対向して押圧片(54)が設けられ、前記非常用レバー(52)は、前記扉(3)に形成された挿入孔(55)に操作側端部が対向し、
前記挿入孔(55)から操作棒を挿入して、前記非常用レバー(52)の操作側端部を押し込むことにより前記非常用レバー(52)が揺動し、前記カム片(53)が前記ロックプレート(44)を押圧し、その押圧により前記ロックプレート(44)に撓みが生じて、前記ラッチ(22)のロックが解除され、前記非常用レバー(52)の前記押圧片(54)が前記内アーム(48)の前記二股片(50)を押圧し、その押圧により前記内アーム(48)が揺動し、前記切欠部(49)の側縁が前記ラッチピン(35)を押圧し、前記ラッチ(22)が後退動して前記ラッチ受け具(60)に対する係合が解除されるハンドル装置。
【発明の詳細な説明】
【技術分野】
【０００１】
この発明は、開口部を開閉する扉の開閉操作用のハンドル装置に関する。
【背景技術】
【０００２】
業務用冷蔵庫の出入口となる開口部の開閉用扉は、普通、戸先側に設けられたハンドル装置でもって開閉される。そのハンドル装置として、下記の特許文献１に記載されたものが従来から知られている。
【０００３】
特許文献１に記載されたハンドル装置においては、扉の戸先側における外表面に装置本体と称せられている台座を取り付け、その台座に枢軸を介して操作ハンドルを揺動自在に支持し、その操作ハンドルの揺動に連動して台座に支持されたラッチをスライドさせるようにしている。
【０００４】
業務用冷蔵庫においては、扉の閉鎖により、その扉の内表面外周部と開口部外周囲における戸当たり面の一方に設けられたパッキンを他方に密着させて気密性を保つようにしており、一方、ハンドル装置においては、扉の閉鎖状態でラッチの先端部をラッチ受け具に係合させて扉の閉鎖状態を保持するようにしている。
【０００５】
また、扉の開放に際しては、操作ハンドルを引く操作により、その操作ハンドルを解錠位置に向けて揺動させ、ラッチ受け具からラッチを後退動させて係合解除し、その係合解除状態から、操作ハンドルをさらに同方向に引く操作によって扉を開放させるようにしている。
【先行技術文献】
【特許文献】
【０００６】
【特許文献１】実開昭６０−７０１５７号公報
【発明の概要】
【発明が解決しようとする課題】
【０００７】
ところで、上記従来のハンドル装置においては、操作ハンドルを引く操作によりラッチを係合解除し、その操作ハンドルをさらに引く一連の操作で扉を開放させるものであるため、扉の開放にきわめて大きな操作力を必要とする。
【０００８】
すなわち、業務用冷蔵庫においては、庫内の冷却により圧力が低下して、庫内圧力と外気圧と間に圧力差があり、その差圧は扉を閉鎖する方向に作用し、しかも、扉自体の重量も重いため、差圧および扉の重量に対応する大きな操作力を操作ハンドルに付与する必要が生じ、扉を容易に開放させることができない。
【０００９】
この発明の課題は、業務用冷蔵庫や冷凍冷蔵庫への使用において、扉を軽い操作力で開放操作し得るようにしたハンドル装置を提供することである。
【課題を解決するための手段】
【００１０】
上記の課題を解決するため、この発明においては、開口部を開閉する扉の戸先側外表面に取り付けられるハンドル操作具と、前記開口部が形成された周壁の外表面において前記ハンドル操作具に対向するように取り付けられるラッチ受け具とからなり、前記ハンドル操作具が、ラッチガイド筒およびそのラッチガイド筒の外表面に設けられた突出部を有し、前記ラッチガイド筒の一端開口が前記ラッチ受け具と対向するようにして扉の外表面に取り付けられる台座と、その台座の前記ラッチガイド筒内にスライド自在に組み込まれ、前記ラッチ受け具に対する先端部の係合によって扉を閉鎖状態に保持するラッチと、そのラッチをラッチ受け具と係合する方向に向けて付勢する弾性部材と、前記台座の突出部の戸先側端部に両端を上下にして支持された支点ピンと、その支点ピンを中心にして揺動自在に支持された操作ハンドルと、その操作ハンドルの揺動運動を前記ラッチのスライド運動に変換する運動変換機構とを有してなり、前記操作ハンドルの揺動中心側の端部に前記扉の閉鎖状態で前記ラッチ受け具の外表面と前後で対向し、操作ハンドルの解錠位置に向けての揺動操作により前記ラッチをラッチ受け具から係合解除させた後にラッチ受け具の外表面に当接する延出部を設けた構成を採用したのである。
【００１１】
上記の構成からなるハンドル装置において、扉を閉鎖すると、ラッチがラッチ受け具に係合して扉は閉鎖状態に保持される。その閉鎖状態において、操作ハンドルの揺動中心側の端部に設けられた延出部がラッチ受け具と前後で対向する状態とされる。
【００１２】
上記のような扉の閉鎖状態から、操作ハンドルの操作部に引く方向の操作力を付与すると、操作ハンドルが解錠位置に向けて揺動し、その揺動に連動してラッチが後退動する。ラッチの先端部がラッチ受け具から離反して係合解除すると、延出部がラッチ受け具の外表面に当接する。その当接状態から操作ハンドルを解錠位置に向けてさらに揺動させると、延出部のラッチ受け具に対する当接位置を支点にして操作ハンドルの揺動中心に外方に向けての操作力が付与される。その操作力は梃子の作用によるものであるため、極めて大きく、その操作力の付与によって扉が僅かに開放する。
【００１３】
このため、扉が業務用冷蔵庫の扉である場合、扉の開放と同時に、外部の空気が庫内に流れ込んで庫内と外部との圧力差が無くなり、扉を軽い力で開放させることができる。
【００１４】
ここで、運動変換機構として、台座の突出部の戸尻側端部に支持されたアーム支持ピンを中心にして揺動可能なアームを有し、そのアームの前記ラッチと対向する揺動側の端部に前記ラッチの後端部に設けられたラッチピンに係合する係合片と、前記操作ハンドルに対向する揺動側の端部に前記アーム支持ピンに向けて長く延び、前記操作ハンドルの揺動中心から操作部側に片寄った位置に設けられた連動ピンが挿入された長孔とを設け、その長孔の内周に対する連動ピンの押圧により操作ハンドルの揺動に連動してアームを揺動させ、そのアームの前記係合片でラッチピンを押圧してラッチを係合解除位置に向けて移動させるようにした構成のものを採用することができる。
【発明の効果】
【００１５】
この発明においては、以上のように、操作ハンドルを解錠位置に向けて揺動させるとラッチが係合解除し、その係合解除後、延出部がラッチ受け具の外表面に当接するため、梃子の作用によって操作ハンドルの揺動中心部に極めて大きな操作力を負荷することができ、その負荷により扉が僅かに開放して扉の内外の圧力差がなくなるので、扉を軽い力で開放させることができる。
【図面の簡単な説明】
【００１６】
【図１】この発明に係るハンドル装置の実施の形態を示し、（I）は一部切欠平面図、（II）は正面図
【図２】図１（I）の一部を拡大して示す断面図
【図３】図１（II）のIII−III線に沿った状態での一部切欠断面図
【図４】図３のIV−IV線に沿った断面図
【図５】扉が少し開放した状態の断面図
【図６】ハンドル操作具を形成する各種部品の分解斜視図
【発明を実施するための形態】
【００１７】
以下、この発明の実施の形態を図面に基づいて説明する。図１図（I）および（II）は、この発明に係るハンドル装置を業務用冷蔵庫の扉の開閉用に採用した例を示す。ここで、冷蔵庫Ａは、周壁１に出入口としての開口部２を設け、その開口部２を揺動自在に支持された扉３によって開閉するようにしており、上記扉３を閉鎖すると、その扉３の内表面の外周部に設けられたパッキン４が開口部２の周囲の戸当たり面に密着して庫内を密閉状態に保持するようになっている。
【００１８】
図１図（I）および（II）に示すように、ハンドル装置は、扉３の戸先側外表面に取り付けられるハンドル操作具１０と、開口部２が形成された周壁１の外表面において上記ハンドル操作具１０と対向するように取り付けられるラッチ受け具６０とからなる。
【００１９】
ラッチ受け具６０は、周壁１の外表面にねじ止めされるブラケット６１と、そのブラケット６１にねじ止めされたＬ形係合片６４とからなる。ブラケット６１は支持板６２の両側に対向一対の側板６３が形成された断面コの字状とされ、上記支持板６３の内側面に係合片６４が衝合されてねじ６５の締め付けにより高さ調節可能な支持とされている。このラッチ受け具６０は係合片６４が開口部２に向く取り付けとされている。
【００２０】
図２乃至図４および図６に示すように、ハンドル操作具１０は、扉３の戸先側の外表面に取り付けられる座板１１と、その座板１１を覆うようにして扉３に取り付けられる台座１３を有している。
【００２１】
座板１１は、矩形状をなしている。座板１１は、その一端がラッチ受け具６０と対向するようにして扉３の外表面に衝合され、その衝合状態で上側および下側に設けられた取付片１２が扉３にねじ込まれるビスの締め付けで扉３に取り付けられている。
【００２２】
台座１３は、断面コの字状のラッチガイド筒１４を有している。ラッチガイド筒１４は座板１１に対して嵌合可能とされて座板１１の全体を覆うことができる大きさとされ、その外表面には一端からラッチガイド筒１４の長さ方向に延びる突出部１５が設けられている。また、ラッチガイド筒１４の上側面および下側面には取付片１６が設けられ、その取付片１６の外表面側に設けられた凹部１７の開口部が蓋体１８の取り付けによって閉塞されている。
【００２３】
台座１３は、座板１１に嵌合されてラッチガイド筒１４の一端がラッチ受け具６０と対向する組み込みとされ、上側面および下側面に設けられた上記取付片１６がビス１９の締め付けで扉３に取り付けられる。
【００２４】
突出部１５の外表面には、その突出部１５の長さ方向の中央部位に角形の凹部２０が設けられている。凹部２０の底面にはラッチガイド筒１４内に張り出す角筒部２１が設けられている。
【００２５】
ラッチガイド筒１４内にはラッチ２２がスライド自在に組み込まれている。ラッチ２２は、ラッチ受け具６０の係合片６４の内表面に対して戸先側端部が係脱自在とされ、その戸先側端部の外表面に対する背面側に円弧状の傾斜面２３が設けられている。
【００２６】
また、ラッチ２２には、後端面から戸先側端部に至るガイド溝部２４が設けられている。ガイド溝部２４には台座１３の上記角筒部２１が挿入され、その角筒部２１とガイド溝部２４の閉塞端間にラッチ２２の戸先側端部がラッチガイド筒１４の一端開口から外部に突出する方向（係合方向）に向けて付勢する弾性部材２５が組み込まれている。
【００２７】
台座１３の突出部１５には、凹部２０から戸先側端部に片寄った位置に支点ピン２６が支持されている。支点ピン２６は両端が上下に位置する支持とされ、その支点ピン２６を中心にして操作ハンドル２７が揺動自在に支持されている。
【００２８】
操作ハンドル２７とラッチ２２の相互間には、操作ハンドル２７の揺動運動をラッチ２２のスライド運動に変換する運動変換機構３０が設けられている。運動変換機構３０は、台座１３の突出部１５の戸尻側端部に支持されたアーム支持ピン３１を中心にしてアーム３２を揺動自在に設け、そのアーム３２の上記ラッチガイド筒１４の戸尻側端部に設けられた切欠部３４に挿入されてラッチ２２と対向する揺動側の端部に係合片３３を設け、その係合片３３をラッチ２２の戸尻側端部に設けられたラッチピン３５に係合している。
【００２９】
また、アーム３２の操作ハンドル２７に対向する揺動側の端部にアーム支持ピン３１に向けて長く延びる長孔３６を形成し、一方、操作ハンドル２７の揺動中心から戸尻側端部（操作部側）に片寄った位置に連動ピン３７を設け、その連動ピン３７を長孔３６内に挿入している。
【００３０】
上記の構成からなる運動変換機構３０においては、操作ハンドル２７の揺動により連動ピン３７で長孔３６の内周を押圧してアーム支持ピン３１を中心にアーム３２を揺動させ、そのアーム３２に設けられた上記係合片３３でラッチピン３５を押圧してラッチ２２を戸尻側端に向けて後退動させるようにしている。
【００３１】
操作ハンドル２７には、支点ピン２６で支持された揺動中心側の端部にラッチ受け具６０の係合片６４の外表面と前後で対向する延出部２８が設けられている。延出部２８は、操作ハンドル２７の解錠位置に向けての揺動によりラッチ２２が後退動してラッチ受け具６０の係合片６４に対して係合解除した後、係合片６４の外表面に当接するようになっている。
【００３２】
操作ハンドル２７には、支点ピン２６から戸尻側端に向けて少し片寄った位置に支持筒３８が設けられている。支持筒３８は台座１３の突出部１５に形成された前述の凹部２０内に挿入され、その支持筒３８内に操作キーにより回動操作されるシリンダ３９が組み込まれている。
【００３３】
シリンダ３９の先端部にはシリンダカム４０が連結されている。シリンダカム４０には、図５に示すように、外周の一側から他側に貫通する割溝４０ａが設けられて台座１３の角筒部２１内に組み込まれた回転可能なシリンダ受け４１と係脱自在とされている。シリンダ受け４１には円筒状のロックカム４２が連結され、そのロックカム４２の先端面に形成されたカム面４３にロックプレート４４の戸先側端部に設けられたコの字形の折曲げ部４４ａが対向している。
【００３４】
ロックプレート４４は、座板１１に設けられたピン４５によって戸尻側端部が支持され、上記座板１１との間に組み込まれたばね４４ｂによって先端部がカム面４３に押し付けられている。
【００３５】
図２および図６に示すように、ロックプレート４４の戸先側端部における上辺および下辺にはロック片４６が設けられている。一方、ラッチ２２の後端部には切欠部４７が設けられ、その切欠部４７に対するロック片４６の係合によってラッチ２２はラッチ受け具６０の係合片６４に係合する状態でロックされる。
【００３６】
ここで、操作キーによりシリンダ３９を回動すると、そのロックカム４２が回動し、そのロックカム４２のカム面４３の回動によりロックプレート４４の戸先側端部が押されて座板１１に向けて撓み、切欠部４７に対するロック片４６の係合が解除してラッチ２２のロックが解除される。
【００３７】
図６に示すように、アーム３２は、２枚を一組とされ、その２枚のアーム３２の対向部間に、図３に示すように、内アーム４８が組み込まれている。内アーム４８は、アーム支持ピン３１を中心にして揺動自在に支持され、ラッチ２２に対向する揺動側の端部には切欠部４９が形成され、その切欠部４９にラッチピン３５が挿入されている。
【００３８】
また、内アーム４８には、揺動側端部の一側に操作ハンドル２７の操作部に向けて延びる二股片５０が設けられ、その二股片５０の先端部で支持されたピン５１によって非常用レバー５２が揺動自在に支持されている。
【００３９】
非常用レバー５２の揺動側端部にはロックプレート押圧用のカム片５３が設けられている。また、非常用レバー５２には内アーム４８の二股片５０の扉側の側縁に対向して押圧片５４が設けられている。
【００４０】
非常用レバー５２は、扉３に形成された挿入孔５５および座板１１に形成された孔５６に操作側端部が対向している。その挿入孔５５から孔５６に庫内に予め用意された操作棒を挿入して上記操作側端部を押し込むことにより非常用レバー５２が揺動し、カム片５３がロックプレート４４を押圧する。その押圧によりロックプレート４４に撓みが生じて切欠部４７に対するロック片４６の係合が解除し、ラッチ２２のロックが解除する。また、非常用レバー５２の押圧片５４が内アーム４８の二股片５０を押圧し、その押圧により内アーム４８が揺動し、切欠部４９の側縁がラッチピン３５を押圧し、ラッチ２２が後退動してラッチ受け具６０に対する係合が解除する。
【００４１】
実施の形態で示すハンドル装置は上記の構造からなり、図２は、扉３の閉鎖状態を示し、パッキン４は周壁１の開口部２外周囲の戸当たり面に密着して庫内を密封状態に保持している。また、ラッチ２２はラッチ受け具６０の係合片６４の内面に係合して、扉３を閉鎖状態に保持している。このとき、操作ハンドル２７の延出部２８はラッチ受け具６０の係合片６４と前後で対向し、その対向部間に間隔が設けられている。
【００４２】
また、ロックプレート４４のロック片４６はラッチ２２の戸尻側端部に設けられた切欠部４７に対して係合解除し、ラッチ２２はロック解除された状態にある。
【００４３】
上記のような扉３の閉鎖状態において、操作ハンドル２７の戸尻側端部である操作部を引く操作によってその操作ハンドル２７を解錠位置に向けて揺動させると、連動ピン３７がアーム３２に形成された長孔３６の内側面を押圧し、その押圧によりアーム３２がアーム支持ピン３１を中心に揺動する。また、アーム３２の揺動により、そのアーム３２に設けられた係合片３３がラッチピン３５を押圧し、その押圧によりラッチ２２が弾性部材２５の弾性に抗して戸尻側に向けてスライドし、ラッチ受け具６０の係合片６４に対する係合が解除する。
【００４４】
また、ラッチ２２の係合解除後、図２の鎖線イで示すように、操作ハンドル２７の延出部２８の先端が係合片６４の外表面に当接する。その当接状態から操作ハンドル２７の操作部をさらに同方向に引くと、延出部２８のラッチ受け具６０の係合片６４に対する当接位置を支点にして操作ハンドル２７の揺動中心である支点ピン２６に外方に向けての操作力が付与される。その操作力は梃子の作用によるものであるため、極めて大きく、その操作力の付与によって扉３は僅かに開放する。
【００４５】
図５は、扉３の僅かな開放状態を示し、その扉３の開放と同時に庫内に外気が流れ込んで、庫内と外部との圧力差が無くなり、扉３を軽いハンドル操作力によって開放させることができる。
【００４６】
扉３の開放状態において、操作ハンドル２７から手を離すと、弾性部材２５の復元弾性によりラッチ２２は、ラッチガイド筒１４の戸先側端部の開口から先端部が突出する係合位置に戻される。その状態で操作ハンドル２７を押圧して、扉３を閉鎖位置に向けて揺動させると、扉３が閉鎖する少し手前の位置でラッチ２２の戸先側端部に設けられた傾斜面２３がラッチ受け具６０の係合片６４の端部に当接し、その当接によりラッチ２２が弾性部材２５の弾性に抗して係合解除位置に向けてスライドする。
【００４７】
ラッチ２２の戸先側端部が係合片６４の端部を通過すると、弾性部材２５の復元弾性によりラッチ２２が係合位置に向けてスライドして、図２に示すように、係合片６４の内面に係合し、扉３は閉鎖状態に保持される。また、操作ハンドル２７の延出部２８は係合片６４の外表面と間隔をおいて対向する状態に保持される。
【００４８】
このように、実施の形態におけるハンドル装置においては、操作ハンドル２７の操作部を引く操作により解錠位置に向けて揺動させると、ラッチ２２が係合解除して延出部２８がラッチ受け具６０の外表面に当接する。その当接状態から操作ハンドル２７をさらに同方向に向けて引くことによって梃子の作用により操作ハンドル２７の揺動中心である支点ピン２６に極めて大きな操作力を負荷することができるため、扉３を僅かに開放させることができる。その扉３の開放によって外気が庫内に流れ込んで、外部との圧力差が無くなるため、扉を軽い力で開放させることができる。
【００４９】
実施の形態においては、この発明に係るハンドル装置を業務用冷蔵庫の扉の開閉操作用に使用した例を示したが、使用例はこれに限定されない。例えば、冷凍冷蔵庫であってもよい。
【符号の説明】
【００５０】
２    開口部
３    扉
１０  ハンドル操作具
１３  台座
１４  ラッチガイド筒
１５  突出部
２２  ラッチ
２５  弾性部材
２６  支点ピン
２７  操作ハンドル
２８  延出部
３０  運動変換機構
３１  アーム支持ピン
３２  アーム
３３  係合片
３５  ラッチピン
３６  長孔
３７  連動ピン
【図１】
0006523752.tif 000002
【図２】
0006523752.tif 000003
【図３】
0006523752.tif 000004
【図４】
0006523752.tif 000005
【図５】
0006523752.tif 000006
【図６】
0006523752.tif 000007